(57)【要約】【課題】薄型化できると共に、破損に対する安全性を確保することができる照明付き鏡装置を提供する。【解決手段】照明付き鏡装置１０は、反射部１５及び透光部１６を有する高透過ガラス板１１と、２つの断絶部１９によって３つの分割導電部に分割されたＳｎＯ２膜１７及び各断絶部１９を跨ぐように配される複数の発光素子１８を高透過ガラス板１１に対向する面において有するガラス板１２と、高透過ガラス板１１及びガラス板１２の間に狭持される中間膜１３とを備え、各発光素子１８は高透過ガラス板１１における透光部１６に対向し、中間膜１３は高透過ガラス板１１の背面に直接又は銀皮膜１４を介して密着し、発光素子１８の厚さは１．２ｍｍであり且つＳｎＯ２膜１７の厚さは約０．３５×１０−４ｃｍである【選択図】図２
2008135339.tif 000002
【特許請求の範囲】
【請求項１】
透明基板と、該透明基板の背面に対向して配される発光基板と、前記透明基板及び前記発光基板の間に狭持される中間膜とを備え、前記透明基板は、その背面に反射膜が形成されている反射部と、前記反射膜が形成されていない透光部とを有する照明付き鏡装置であって、
前記発光基板は、前記透明基板に対向する面において、線状の断絶部によって複数の導電部に分割された透明導電膜と、２つの電極を有し且つ該２つの電極が前記断絶部を挟んで隣接する２つの前記導電部のそれぞれに接続するように配置される複数の発光素子と、前記透明導電膜における２つの隅部に配置され且つ外部電源と接続される隅部電極とを有し、
前記各発光素子は前記透明基板における前記透光部に対向するように配され、
前記中間膜は前記透明基板の背面に直接又は前記反射膜を介して密着することを特徴とする照明付き鏡装置。
【請求項２】
前記隅部電極から前記各発光素子までの前記透明導電膜からなる導電路のそれぞれは複数の部分導電路が組み合わされてなり、
前記隅部電極から前記発光素子が遠いほど、対応する前記導電路における前記部分導電路の少なくとも１つの幅が大きいことを特徴とする請求項１記載の照明付き鏡装置。
【請求項３】
前記線状の断絶部は前記各導電路の組が櫛形状を呈するように形成されることを特徴とする請求項２記載の照明付き鏡装置。
【請求項４】
前記線状の断絶部は、エッチング、サンドブラスト、刃物状の部材による線引き加工又はレーザービームによる走査によって形成されることを特徴とする請求項１乃至３のいずれか１項に記載の照明付き鏡装置。
【請求項５】
前記透明基板はガラス板であり、前記発光基板はガラス板又は樹脂膜であることを特徴とする請求項１乃至４のいずれか１項に記載の照明付き鏡装置。
【発明の詳細な説明】
【技術分野】
【０００１】
本発明は、照明付き鏡装置に関し、透明導電膜と該透明導電膜上に配された発光素子とを有する照明付き鏡装置に関する。
【背景技術】
【０００２】
人のメイクアップを行う際にその顔を光で照射する必要があり、これに応じて、鏡に近接して配置された照明装置、例えば、白熱灯を備える照明付き鏡装置が知られている。特に、照明付き鏡装置の見栄え向上や小型化の観点から装置内部に光源を有する鏡装置が開発されている。
【０００３】
図６は、従来の内部に光源を有する鏡装置の構成を概略的に示す断面図である。
【０００４】
図６において、鏡装置６０は、ガラス６１と、該ガラス６１の背面において部分的に形成された反射層６２と、ガラス６１を囲んで保持する枠体６３とを備える。鏡装置６０において、ガラス６１はその背面に反射層６２が形成されていない透光部６４を有し、該透光部６４の背面側には光散乱板６５を介して光源ユニット６６が配されている。該光源ユニット６６は、内部において、プリント基板６７及び白熱灯等の光源６８を有する。また、枠体６３は光源ユニット６６及びその配線を収容する（例えば、特許文献１参照。）。
【特許文献１】特開２００２−９３２３７号公報
【発明の開示】
【発明が解決しようとする課題】
【０００５】
しかしながら、上述した鏡装置６０において、光源ユニット６６はプリント基板６７及び光源６８を内蔵するために所定の厚みを有し、また、光源ユニット６６の配線は所定の空間を占有するので、これらを収容する枠体６３の厚さが大きくなる。したがって、鏡装置を薄型化できないという問題がある。
【０００６】
また、ガラス６１の背面の大部分には反射層６２及びその保護板（図示しない）が配されるのみなので、ガラス６１が破損した際にその破片が飛散する。したがって、安全性が確保できないという問題がある。
【０００７】
本発明の目的は、薄型化できると共に、破損に対する安全性を確保することができる照明付き鏡装置を提供することにある。
【課題を解決するための手段】
【０００８】
上記目的を達成するために、請求項１記載の照明付き鏡装置は、透明基板と、該透明基板の背面に対向して配される発光基板と、前記透明基板及び前記発光基板の間に狭持される中間膜とを備え、前記透明基板は、その背面に反射膜が形成されている反射部と、前記反射膜が形成されていない透光部とを有する照明付き鏡装置であって、前記発光基板は、前記透明基板に対向する面において、線状の断絶部によって複数の導電部に分割された透明導電膜と、２つの電極を有し且つ該２つの電極が前記断絶部を挟んで隣接する２つの前記導電部のそれぞれに接続するように配置される複数の発光素子と、前記透明導電膜における２つの隅部に配置され且つ外部電源と接続される隅部電極とを有し、前記各発光素子は前記透明基板における前記透光部に対向するように配され、前記中間膜は前記透明基板の背面に直接又は前記反射膜を介して密着することを特徴とする。
【０００９】
請求項２記載の照明付き鏡装置は、請求項１記載の照明付き鏡装置において、前記隅部電極から前記各発光素子までの前記透明導電膜からなる導電路のそれぞれは複数の部分導電路が組み合わされてなり、前記隅部電極から前記発光素子が遠いほど、対応する前記導電路における前記部分導電路の少なくとも１つの幅が大きいことを特徴とする。
【００１０】
請求項３記載の照明付き鏡装置は、請求項２記載の照明付き鏡装置において、前記線状の断絶部は前記各導電路の組が櫛形状を呈するように形成されることを特徴とする。
【００１１】
請求項４記載の照明付き鏡装置は、請求項１乃至３のいずれか１項に記載の照明付き鏡装置において、前記線状の断絶部は、エッチング、サンドブラスト、刃物状の部材による線引き加工又はレーザービームによる走査によって形成されることを特徴とする。
【００１２】
請求項５記載の照明付き鏡装置は、請求項１乃至４のいずれか１項に記載の照明付き鏡装置において、前記透明基板はガラス板であり、前記発光基板はガラス板又は樹脂膜であることを特徴とする。
【発明の効果】
【００１３】
請求項１記載の照明付き鏡装置によれば、反射部及び透光部を有する透明基板と、断絶部によって分割された透明導電膜からなる複数の導電部及び２つの電極が断絶部を挟んで隣接する２つの導電部のそれぞれに接続するように配置される複数の発光素子を有する発光基板と、透明基板及び発光基板の間に狭持される中間膜とを備え、各発光素子は透明基板における透光部に対向し、中間膜は透明基板の背面に直接又は反射膜を介して密着する。上記照明付き鏡装置では、透明基板及び発光基板の間に配される発光素子の厚さ及び透明導電膜の厚さは小さいので、照明付き鏡装置を薄型化できる。また、中間膜が透明基板の背面に密着するので、透明基板が破損した際にその破片が飛散することがなく、破損に対する安全性を確保することができる。
【００１４】
請求項２記載の照明付き鏡装置によれば、隅部電極から各発光素子までの透明導電膜からなる導電路における部分導電路の少なくとも１つの幅は、該導電路に対応する発光素子が隅部電極から遠いほど大きいので、発光素子が隅部電極から遠くなるほど導電路の電気抵抗が大きくなるのを抑制することができ、もって、各発光素子の発光量のばらつきを抑制することができる。
【００１５】
請求項３記載の照明付き鏡装置によれば、線状の断絶部は各導電路の組が櫛形状を呈するように形成されるので、透明導電膜の分割と部分導電路の幅の調整とを、複数の断絶部を形成することなく、１本の断絶部の形成によって実現することができ、もって、当該照明付き鏡装置の見た目を向上することができると共に、断絶部の加工時間を短縮することができる。
【００１６】
請求項４記載の照明付き鏡装置によれば、線状の断絶部がエッチング、サンドブラスト、刃物状の部材による線引き加工又はレーザービームによる走査によって形成されるので、断絶部を容易に形成することができ、もって各導電部を容易に形成することができる。
【発明を実施するための最良の形態】
【００１７】
以下、本発明の実施の形態について図面を参照しながら説明する。
【００１８】
まず、本発明の第１の実施の形態に係る照明付き鏡装置について説明する。
【００１９】
図１は、本実施の形態に係る照明付き鏡装置の構成を概略的に示す正面図であり、図２は、図１の照明付き鏡装置の構成を概略的に示す断面図であり、図２（Ａ）は、図１における線II−IIに沿う断面図であり、図２（Ｂ）は、図２（Ａ）におけるＡ部の拡大図である。
【００２０】
図１、図２（Ａ）及び図２（Ｂ）において、照明付き鏡装置１０は、高透過ガラス板１１（透明基板）と、該高透過ガラス板１１の背面に対向して配されるガラス板１２（発光基板）と、高透過ガラス板１１及びガラス板１２の間に狭持される中間膜１３とを備える。照明付き鏡装置１０において、高透過ガラス１１及びガラス板１２の大きさはほぼ同じであり、各端部が揃うように高透過ガラス１１及びガラス板１２は重ねられている。
【００２１】
高透過ガラス板１１の背面には、ほぼ全面に反射膜として機能する銀皮膜１４が塗装等によって長方形状に形成されている一方、両側端部には所定の範囲に亘って銀皮膜１４が形成されていない。銀皮膜１４は高透過ガラス１１を透過する光を反射するため、高透過ガラス１１において背面に銀皮膜１４が形成されている部分は鏡として機能する反射部１５を構成する。また、高透過ガラス１１において背面に銀皮膜１４が形成されていない部分は光を透過するのみなので透光部１６を構成する。なお、反射部１５及び該反射部１５の両脇の透光部１６はそれぞれ長方形状である。
【００２２】
中間膜１３は、例えば、ポリビニルブチラール、エチレン・酢酸ビニル共重合体（ＥＶＡ）やキャストレジン等からなり、高透過ガラス１１及びガラス板１２の間隙を充填する。これにより、中間膜１３は高透過ガラス１１の背面に直接又は銀皮膜１４を介して密着する。
【００２３】
ガラス板１２の高透過ガラス１１に対向する面には、全面に亘って酸化錫（ＳｎＯ２）を主成分とする導電膜（以下、「ＳｎＯ２膜」という。）１７（透明導電膜）が形成され、該ＳｎＯ２膜１７上には複数の発光素子１８が配される。ＳｎＯ２膜１７の膜厚さは約０．３５×１０−４ｃｍであり、比抵抗値は４．５５×１０−４Ω・ｃｍである。また、各発光素子１８（株式会社日亜化学工業製、型番ＮＳＳＷ１００ＢＴ）は直方体のセラミック部材と、該セラミック部材の表面の略中央に配置されたＬＥＤチップと、セラミック部材の裏面の２箇所に設けられた電極（アノード電極、カソード電極）とを有する。発光素子１８のセラミック部材の大きさは、幅が２ｍｍ、長さが３ｍｍ、厚さが１．２ｍｍである。
【００２４】
ＳｎＯ２膜１７は、各透光部１６に対向する部分の略中央において各透光部１６の長手方向に沿って形成された線状の断絶部１９により、３つの分割導電部に分割されている。これら２つの断絶部１９はエッチング、サンドブラスト、刃物状の部材による線引き加工、又はレーザービームによる走査によって形成される。なお、以下において、各透光部１６の長手方向を列方向とする。
【００２５】
ＳｎＯ２膜１７の透光部１６に対向する部分のそれぞれには、列方向に沿って６つの発光素子１８が配列されている。各発光素子１８は断絶部１９を跨ぐように配される、すなわち、断絶部１９を挟んで隣接する２つの分割導電部を接続するように配置されている（図２（Ｂ）参照。）。したがって、各発光素子１８は、ＳｎＯ２膜１７の各透光部１６に対向する部分において、各透光部１６に対向するように配されている。また、発光素子１８の２つの電極は隣接する２つの分割導電部のそれぞれと導電性接着剤（図示しない）を介して電気的に接続されている。
【００２６】
照明付き鏡装置１０の両側端側に配された分割導電部のそれぞれの隅部（２つの隅部）には導電線２０ａ，２０ｂを介して外部電源（図示しない）が接続され、該隅部は隅部電極２１ａ，２１ｂを形成する。
【００２７】
照明付き鏡装置１０では、外部電源から電流が供給されて隅部電極２１ａ，２１ｂ間において電流が流れると、各発光素子１８に電流が流れてＬＥＤチップが発光する。ＬＥＤチップから照射された光は、透光部１６を透過して照明付き鏡装置１０に向かう人の顔に照射される。
【００２８】
本実施の形態に係る照明付き鏡装置１０によれば、反射部１５及び透光部１６を有する高透過ガラス板１１と、２つの断絶部１９によって３つの分割導電部に分割されたＳｎＯ２膜１７及び各断絶部１９を跨ぐように配される複数の発光素子１８を高透過ガラス板１１に対向する面において有するガラス板１２と、高透過ガラス板１１及びガラス板１２の間に狭持される中間膜１３とを備える。また、各発光素子１８は高透過ガラス板１１における透光部１６に対向し、中間膜１３は高透過ガラス板１１の背面に直接又は銀皮膜１４を介して密着する。発光素子１８の厚さは１．２ｍｍであり且つＳｎＯ２膜１７の厚さは約０．３５×１０−４ｃｍであるので、照明付き鏡装置１０を薄型化できる。また、中間膜１３が高透過ガラス板１１の背面に密着するので、高透過ガラス板１１が破損した際にその破片が飛散することがなく、破損に対する安全性を確保することができる。
【００２９】
上述した照明付き鏡装置１０では、線状の断絶部１９がエッチング、サンドブラスト、刃物状の部材による線引き加工又はレーザービームによる走査によって形成されるので、断絶部１９を容易に形成することができ、もって各分割導電部を容易に形成することができる。
【００３０】
また、上述した照明付き鏡装置１０では、発光基板としてガラス板１２が用いられたが、発光基板として樹脂膜、例えば、ＰＥＴフィルムを用いてもよい。
【００３１】
次に、本発明の第２の実施の形態に係る照明付き鏡装置について説明する。
【００３２】
本実施の形態は、その構成、作用が上述した第１の実施の形態と基本的に同じであり、ＳｎＯ２膜１７の分割形状が異なるのみであるので、重複した構成、作用については説明を省略し、以下に異なる構成、作用についての説明を行う。
【００３３】
上述した照明付き鏡装置１０において、隅部電極２１ａ，２１ｂから各発光素子１８までの距離は異なる。また、ＳｎＯ２膜１７は完全な導体ではなく多少の電気抵抗を有するため、隅部電極２１ａ，２１ｂから各発光素子１８までの距離に応じて電気抵抗が変化し、例えば、隅部電極２１ａから隅部電極２１ａに最も近い発光素子１８までの電気抵抗と、隅部電極２１ａから隅部電極２１ａに最も遠い発光素子１８までの電気抵抗とは異なるため、各発光素子１８に供給される電流の値が異なる。具体的には、隅部電極２１ａから遠いほど電気抵抗が大きくなり、供給される電流は少なくなる。その結果、照明付き鏡装置１０において各発光素子１８の発光量がばらつく虞がある。
【００３４】
本実施の形態では、これに対応して分割導電部の形状を調整することにより、隅部電極２１ａ，２１ｂから各発光素子１８までの電気抵抗を等しくする。
【００３５】
図３は、本実施の形態に係る照明付き鏡装置の構成を概略的に示す正面図である。
【００３６】
図３において、照明付き鏡装置３０は、上述した照明付き鏡装置１０と同様に、高透過ガラス板１１、ガラス板１２及び中間膜１３を備える。また、高透過ガラス板１１は反射部１５及び透光部１６を有し、ガラス板１２は、高透過ガラス板１１に対向する面において、複数の分割導電部に分割されたＳｎＯ２膜１７及び複数の発光素子１８を有する。なお、以下において、各透光部１６の長手方向を列方向とし、各透光部１６の長手方向に直角に交わる方向を行方向とする。
【００３７】
図４は、図３におけるＳｎＯ２膜の分割状態及び複数の発光素子の配置状況を示す図である。具体的に、図４は、図３の照明付き鏡装置３０から高透過ガラス板１１を取り除いた状態を表す。
【００３８】
図４において、ＳｎＯ２膜１７は２つの断絶部１９によって３つの分割導電部３１ａ，３１ｂ，３１ｃに分割され、これらの分割導電部３１ａ，３１ｂ，３１ｃは行方向に沿ってこの順で配列されている。分割導電部３１ａの隅部には隅部電極２１ａが形成され、分割導電部３１ｃの隅部には隅部電極２１ｂが形成されている。また、複数の発光素子１８はＳｎＯ２膜１７上に６行×２列のマトリックス状に配置されている。
【００３９】
各行には２つの発光素子１８が直線状に配置され、これらの発光素子１８は第ｍ行（ｍは１〜６の自然数、以下同じ）の発光素子群を構成する。各行の発光素子群は行方向に平行に配置されている。また、各列にも６つの発光素子１８が直線状に配置され、これらの発光素子１８は第ｎ列（ｎは１〜２の自然数）の発光素子群を構成する。各列の発光素子群は列方向に平行に配置されている。
【００４０】
各発光素子１８は各断絶部１９を跨ぐように配されている。これにより、各行の発光素子群における各発光素子１８は分割導電部３１ａ，３１ｂ，３１ｃを介して電気的に直列に接続されている。したがって、分割導電部３１ａに電流を供給すると、各行の発光素子群における各発光素子１８に電流が流れてＬＥＤチップが発光する。
【００４１】
分割導電部３１ａ及び分割導電部３１ｃは、他の断絶部３２によってさらに複数の導電部に分割されている。具体的に、他の断絶部３２は分割導電部３１ａ，３１ｃを、隅部電極２１ａ，２１ｂを含む櫛形状を呈する導電部（以下、「櫛状導電部」という。）とそれ以外の導電部に分割している。櫛状導電部は列方向配された矩形の導電部（以下、「導電基部」という。）３３と、該導電基部３３から行方向に沿って突出する矩形の導電櫛歯部３４との組からなる。なお、導電櫛歯部３４は各列の各発光素子１８に接続されている。
【００４２】
本実施の形態では、各発光素子１８が櫛状導電部を介して隅部電極２１ａと接続されている。隅部電極２１ａに供給された電流は導電基部３３内を列方向に沿って流れ、さらに導電櫛歯部３４内を行方向に沿って流れる。したがって、隅部電極２１ａから各発光素子１８までの導電路は、接続先である発光素子１８に接続された導電櫛歯部３４を含む矩形の行方向導電路と、導電基部３３の一部（隅部電極２１ａから接続先である発光素子１８に対応する導電櫛歯部３４までの部分）からなる矩形の列方向導電路とを有する。
【００４３】
図５は、図４における隅部電極から発光素子までの導電路の分解図であり、図５（Ａ）は第１列の発光素子群における第１行の発光素子１８までの導電路の分解図であり、図５（Ｂ）は第１列の発光素子群における第３行の発光素子１８までの導電路の分解図であり、図５（Ｃ）は第１列の発光素子群における第６行の発光素子１８までの導電路の分解図である。
【００４４】
図５（Ａ）において、隅部電極２１ａから第１列の発光素子群における第１行の発光素子１８までの導電路は、列方向導電路３５１と行方向導電路３６１とからなる。
【００４５】
ここで、ＳｎＯ２膜１７の比抵抗をρとし、ＳｎＯ２膜１７の厚さをｔとし、列方向導電路３５１の幅（列方向導電路３５１の行方向に沿う長さ）をＷとし、列方向導電路３５１の長さ（隅部電極２１ａから第１行の発光素子１８までの列方向に沿う距離）をＬ１１とし、行方向導電路３６１の長さ（隅部電極２１ａから第１列の発光素子群までの行方向に沿う距離）をＬとし、行方向導電路３６１の幅（行方向導電路３６１の列方向に沿う長さ）をＷ１１とすると、隅部電極２１ａから第１行の発光素子１８までの電気抵抗Ｒ１１は下記式（１）で表される。
Ｒ１１＝ρ／ｔ×（Ｌ１１／Ｗ＋Ｌ／Ｗ１１）    ……    （１）
なお、行方向導電路３６１の幅は導電櫛歯部３４の幅と一致し、列方向導電路３５１の幅は導電基部３３の幅と一致する。
【００４６】
図５（Ｂ）において、隅部電極２１ａから第１列の発光素子群における第３行の発光素子１８までの導電路は、列方向導電路３５３と行方向導電路３６３とからなる。ここで、列方向導電路３５１及び列方向導電路３５３はいずれも導電基部３３の一部であるので、列方向導電路３５３の幅は列方向導電路３５１の幅と同じＷであり、行方向導電路３６３の長さは隅部電極２１ａから第１列の発光素子群までの行方向に沿う距離であるので、行方向導電路３６１の長さと同じＬである。
【００４７】
また、列方向導電路３５３の長さ（隅部電極２１ａから第３行の発光素子１８までの列方向に沿う距離）をＬ３１とし、行方向導電路３６３の幅（行方向導電路３６３の列方向に沿う長さ）をＷ３１とすると、隅部電極２１ａから第３行の発光素子１８までの電気抵抗Ｒ３１は下記式（２）で表される。
Ｒ３１＝ρ／ｔ×（Ｌ３１／Ｗ＋Ｌ／Ｗ３１）    ……    （２）
図５（Ｃ）において、隅部電極２１ａから第１列の発光素子群における第６行の発光素子１８までの導電路は、列方向導電路３５６と行方向導電路３６６とからなる。ここで、列方向導電路３５６も導電基部３３の一部であるので、列方向導電路３５６の幅はＷであり、行方向導電路３６６の長さは隅部電極２１ａから第１列の発光素子群までの行方向に沿う距離であるのでＬである。
【００４８】
また、列方向導電路３５６の長さ（隅部電極２１ａから第６行の発光素子１８までの列方向に沿う距離）をＬ６１とし、行方向導電路３６６の幅（行方向導電路３６６の列方向に沿う長さ）をＷ６１とすると、隅部電極２１ａから第６行の発光素子１８までの電気抵抗Ｒ６１は下記式（３）で表される。
Ｒ６１＝ρ／ｔ×（Ｌ６１／Ｗ＋Ｌ／Ｗ６１）    ……    （３）
すなわち、本実施の形態では、隅部電極２１ａから第１列の発光素子群における第ｍ行の発光素子１８までの電気抵抗Ｒｍ１は、第ｍ行の発光素子１８に対応する列方向導電路３５ｍの長さ（隅部電極２１ａから第ｍ行の発光素子１８までの列方向に沿う距離）をＬｍ１とし、第ｍ行の発光素子１８に対応する行方向導電路３６ｍの幅（行方向導電路３６ｍの列方向に沿う長さ）をＷｍ１とすると、下記式（４）で表される。
Ｒｍ１＝ρ／ｔ×（Ｌｍ１／Ｗ＋Ｌ／Ｗｍ１）    ……    （４）
本実施の形態では、下記式（５）が成立するようにＷｍ１が設定されている。具体的には、Ｌｍ１が大きく（行方向導電路３６ｍに対応する発光素子１８が隅部電極２１ａから遠く）なるほど、Ｗｍ１が大きくなるように設定されている。
Ｌ１１／Ｗ＋Ｌ／Ｗ１１＝…＝Ｌｍ１／Ｗ＋Ｌ／Ｗｍ１＝…＝Ｌ６１／Ｗ＋Ｌ／Ｗ６１  ……（５）
上記式（５）が成立すると、上記式（１）〜（４）に示す隅部電極２１ａから第１列の発光素子群における各発光素子１８までの電気抵抗（Ｒ１１，Ｒ３１，Ｒ６１，Ｒｍ１）が等しくなる。
【００４９】
なお、本実施の形態において、２つの断絶部１９だけでなく、他の断絶部３２もエッチング、サンドブラスト、刃物状の部材による線引き加工、又はレーザービームによる走査によって形成される。
【００５０】
本実施の形態に係る照明付き鏡装置３０によれば、第ｍ行の発光素子１８に対応する行方向導電路３６ｍの幅Ｗｍ１は、該行方向導電路３６ｍに対応する発光素子１８が隅部電極２１ａから遠いほど大きいので、発光素子１８が隅部電極２１ａから遠くなるほど導電路の電気抵抗が大きくなるのを抑制することができ、もって、各発光素子１８の発光量のばらつきを抑制することができる。
【００５１】
具体的には、複数の発光素子１８がＳｎＯ２膜１７上に６行×２列のマトリックス状に配置され、分割導電部３１ａの隅部に配置された隅部電極２１ａから第１列の発光素子群における第ｍ行の発光素子１８までの導電路における列方向導電路３５ｍの幅（行方向に沿う長さ）がＷとされ、第ｍ行の発光素子１８に対応する行方向導電路３６ｍの長さ（隅部電極２１ａから第１列の発光素子群までの行方向に沿う距離）がＬとされ、列方向導電路３５ｍの長さ（隅部電極２１ａから第１列の発光素子群における第ｍ行の発光素子１８までの列方向に沿う距離）がＬｍ１とされ、行方向導電路３６ｍの幅（行方向導電路３６ｍの列方向に沿う長さ）がＷｍ１とされたときに、Ｌ１１／Ｗ＋Ｌ／Ｗ１１＝…＝Ｌｍ１／Ｗ＋Ｌ／Ｗｍ１＝…＝Ｌ６１／Ｗ＋Ｌ／Ｗ６１を満たす。これにより、隅部電極２１ａから第１列の発光素子群における各発光素子１８までの電気抵抗を等しくすることができ、各行の発光素子群に供給される電流の値を同じにすることができる。その結果、各発光素子１８の発光量のばらつきを抑制することができる。
【００５２】
なお、上述した本実施の形態では、隅部電極２１ａから第１列の発光素子群における各発光素子１８までの導電路における列方向導電路や行方向導電路が満たすべき条件について説明したが、第２列の発光素子群における各発光素子１８から隅部電極２１ｂまでの導電路における列方向導電路や行方向導電路が満たすべき条件も、上述した条件と同じであることは言うまでもない。
【００５３】
具体的には、第２列の発光素子群における各発光素子１８から隅部電極２１ｂまでの導電路は、発光素子１８に接続された導電櫛歯部３４を含む矩形の行方向導電路と、導電基部３３の一部からなる矩形の列方向導電路とからなり、第２列の発光素子群における第ｍ行の発光素子１８から隅部電極２１ｂまでの電気抵抗Ｒｍ２は、第２列の発光素子群における第ｍ行の発光素子１８に対応する列方向導電路の長さをＬｍ２とし、同発光素子１８に対応する行方向導電路幅をＷｍ２とすると、下記式（６）で表される。
Ｒｍ２＝ρ／ｔ×（Ｌｍ２／Ｗ＋Ｌ／Ｗｍ２）    ……    （６）
そして、下記式（７）が成立するようにＷｍ２が設定されている。
Ｌ１２／Ｗ＋Ｌ／Ｗ１２＝…＝Ｌｍ２／Ｗ＋Ｌ／Ｗｍ２＝…＝Ｌ６２／Ｗ＋Ｌ／Ｗ６２  ……（７）
上記式（７）が成立すると、第２列の発光素子群における各発光素子１８から隅部電極２１ｂまでの電気抵抗が等しくなる。
【００５４】
また、上述した照明付き鏡装置３０では、ＳｎＯ２膜１７が断絶部１９と他の断絶部３２によって分割されたが、分割導電部３１ａ及び分割導電部３１ｂ、並びに分割導電部３１ｂ及び分割導電部３１ｃを櫛形状を呈する１本の断絶部で分割してもよく、これにより、ＳｎＯ２膜１７の分割と、行方向導電路３６ｍの列方向に沿う長さ（行方向導電路３６ｍの幅）Ｗｍ１の調整とを、他の断絶部３２を形成することなく、１本の断絶部の形成によって実現することができ、もって、照明付き鏡装置３０の見た目をさらに向上することができると共に加工時間を短縮することができる。
【００５５】
なお、上述した各実施の形態において、透明基板として高透過ガラスを用いたが、通常の透明ガラス、着色ガラス等を用いてもよい。
【図面の簡単な説明】
【００５６】
【図１】本発明の第１の実施の形態に係る照明付き鏡装置の構成を概略的に示す正面図である。
【図２】図１の照明付き鏡装置の構成を概略的に示す断面図であり、図２（Ａ）は、図１における線II−IIに沿う断面図であり、図２（Ｂ）は、図２（Ａ）におけるＡ部の拡大図である。
【図３】本発明の第２の実施の形態に係る照明付き鏡装置の構成を概略的に示す正面図である。
【図４】図３におけるＳｎＯ２膜の分割状態及び複数の発光素子の配置状況を示す図である。
【図５】図４における隅部電極から発光素子までの導電路の分解図であり、図５（Ａ）は第１列の発光素子群における第１行の発光素子までの導電路の分解図であり、図５（Ｂ）は第１列の発光素子群における第３行の発光素子までの導電路の分解図であり、図５（Ｃ）は第１列の発光素子群における第６行の発光素子までの導電路の分解図である。
【図６】従来の内部に光源を有する鏡装置の構成を概略的に示す断面図である。
【符号の説明】
【００５７】
１０，３０  照明付き鏡装置
１１  高透過ガラス板
１２  ガラス板
１３  中間膜
１４  銀皮膜
１５  反射部
１６  透光部
１７  ＳｎＯ２膜
１８  発光素子
１９  断絶部
【図１】
2008135339.tif 000003
【図２】
2008135339.tif 000004
【図３】
2008135339.tif 000005
【図４】
2008135339.tif 000006
【図５】
2008135339.tif 000007
【図６】
2008135339.tif 000008